(57)【要約】      （修正有）【課題】スラグ弾の命中精度を高めることができるスラグ弾頭保持部材の提供。【解決手段】円板部11と、円板部11の一面上に突き出して形成された弾頭保持部15、円板部11と弾頭保持部15に跨った凹部14を有しており、円板部11の厚みＬ1と弾頭保持部15の高さL2との比率（L2/L1）が0.4〜2.5の範囲であり、かつ円板部11の周面が環状傾斜面部13（角度αは45〜85°の範囲）を有している。【選択図】図２
2010078294.tif 000002
【特許請求の範囲】
【請求項１】
スラグ弾頭を保持するためのスラグ弾頭保持部材であって、
前記スラグ弾頭保持部材が、円板部と、前記円板部の一面上に突き出して形成された弾頭保持部とを有しており、更に前記円板部と前記弾頭保持部に跨った凹部を有するものであり、
前記円板部の厚みＬ1と前記弾頭保持部の円板部表面からの高さＬ2との比率（Ｌ2／Ｌ1）が０．４〜２．５の範囲である、スラグ弾頭保持部材。
【請求項２】
前記Ｌ2／Ｌ1が０．５〜２．０の範囲である、請求項１記載のスラグ弾頭保持部材。
【請求項３】
スラグ弾頭を保持するためのスラグ弾頭保持部材であって、
前記スラグ弾頭保持部材が、円板部と、前記円板部の一面上に突き出して形成された弾頭保持部とを有しており、更に前記円板部と前記弾頭保持部に跨った凹部を有するものであり、
前記円板部が、前記弾頭保持部が突き出された上部周面部と、前記弾頭保持部が形成された面と反対面側の中心軸に向かって傾斜した環状傾斜面部を有しており、
前記円板部の上部周面部の厚みＬ1と前記弾頭保持部の円板部表面からの高さＬ2との比率（Ｌ2／Ｌ1）が０．４〜２．５の範囲である、スラグ弾頭保持部材。
【請求項４】
前記Ｌ2／Ｌ1が０．５〜２．０の範囲であり、前記弾頭保持部が形成された面と反対面と前記環状傾斜面部とのなす角度αが４５〜８５°の範囲である、請求項３記載のスラグ弾頭保持部材。
【請求項５】
薬莢内において、雷管、発射薬及び送りを含む複数の構成要素と共に、スラグ弾頭の凹部に請求項１〜４のいずれか１項記載のスラグ弾頭保持部材の弾頭保持部が嵌め込まれたものを備えた、スラグ弾。
【請求項６】
前記送りが、発射時の圧力により塑性変形する樹脂製のカップワッズであり、前記スラグ弾頭の凹部と前記カップワッズが軸方向に隣接し、かつ正対するように配置されている、請求項５記載のスラグ弾。
【発明の詳細な説明】
【技術分野】
【０００１】
本発明は、スラグ弾頭を保持するために用いるスラグ弾頭保持部材と、前記スラグ弾頭保持部材で保持したスラグ弾頭を備えたスラグ弾に関する。
【背景技術】
【０００２】
散弾銃で用いるスラグ弾に要求される命中精度を高めるための発明が特許文献１に記載されている。特許文献１の発明では、第４図〜第６図に示されているように、弾丸９の内部空間ａにコア１１を嵌め込んだものをスラグ弾に用いることにより、命中精度を高めたものであり、第４図には様々な形状のコア１１が示されている。
【０００３】
弾丸９を発射したとき、発射時の圧力でコア１１は軸方向に押し縮められ、弾丸９の内部空間ａにめり込んだ状態で一体に飛翔する（第６図）。また、第２図に示されているようなプラスチック製ワッズ１０を備えている場合には、弾丸９はワッズ１０と分離した状態で飛翔する。
【特許文献１】特公昭６４−２８８０号公報
【発明の開示】
【発明が解決しようとする課題】
【０００４】
特許文献１の発明では、第４図から理解できるとおり、コア１１の環状板部Ａの厚みは、コア１１の凸部Ｂの厚み（高さ）と比べるとかなり小さくなっている。このため、発射後の第６図の状態の全体長さは弾丸９の長さと大差ないため（即ち、弾丸９以外の長さが小さくなっているため）直進性が損なわれて、命中精度が充分に高められないという点で改善の余地がある。
【０００５】
本願発明は、特許文献１の発明を改良することにより、特にコア１１に相当する部材を改良することにより、スラグ弾に使用したときにその命中精度をより高めることができるスラグ弾頭保持部材と、それを用いたスラグ弾を提供することを課題とする。
【課題を解決するための手段】
【０００６】
請求項１の発明は、課題の解決手段として、
スラグ弾頭を保持するためのスラグ弾頭保持部材であって、
前記スラグ弾頭保持部材が、円板部と、前記円板部の一面上に突き出して形成された弾頭保持部とを有しており、更に前記円板部と前記弾頭保持部に跨った凹部を有するものであり、
前記円板部の厚みＬ1と前記弾頭保持部の円板部表面からの高さＬ2との比率（Ｌ2／Ｌ1）が０．４〜２．５の範囲である、スラグ弾頭保持部材を提供する。
【０００７】
本発明のスラグ弾頭保持部材は、上記したとおり、Ｌ2／Ｌ1の比率が所定範囲のものであるため、スラグ弾の発射後、スラグ弾頭とスラグ弾頭保持部材が一体になった状態で飛翔したとき、特許文献１の発明における弾丸９とコア１１との関係と比べると、Ｌ2とＬ1の合計長さが大きく、スラグ弾頭以外の部分の長さも大きくなっている。このため、スラグ弾の飛翔が安定し、着弾したときの命中精度がより高められる。
【０００８】
請求項３の発明は、課題の他の解決手段として、
スラグ弾頭を保持するためのスラグ弾頭保持部材であって、
前記スラグ弾頭保持部材が、円板部と、前記円板部の一面上に突き出して形成された弾頭保持部とを有しており、更に前記円板部と前記弾頭保持部に跨った凹部を有するものであり、
前記円板部が、前記弾頭保持部が突き出された上部周面部と、前記弾頭保持部が形成された面と反対面側の中心軸に向かって傾斜した環状傾斜面部を有しており、
前記円板部の上部周面部の厚みＬ1と前記弾頭保持部の円板部表面からの高さＬ2との比率（Ｌ2／Ｌ1）が０．４〜２．５の範囲である、スラグ弾頭保持部材を提供する。
【０００９】
本発明のスラグ弾頭保持部材として上記したＬ2／Ｌ1の比率を所定範囲にして、かつ環状傾斜面を有するもの用いることにより、更にスラグ弾の飛翔が安定して、着弾したときの命中精度がより高められる。
【００１０】
請求項５の発明は、他の課題の解決手段として、薬莢内において、雷管、発射薬及び送りを含む複数の構成要素と共に、スラグ弾頭の凹部に請求項１〜４のいずれか１項記載のスラグ弾頭保持部材の弾頭保持部が嵌め込まれたものを備えた、スラグ弾を提供する。
【００１１】
送りは、カップワッズ又はフェルトとカップワッズの組み合わせからなるものを用いることができる。前記カップワッズは、発射時の圧力により塑性変形する樹脂製のカップワッズが好ましく、送りがカップワッズである場合には、スラグ弾頭の凹部とカップワッズが軸方向に隣接し、かつ正対するように配置されていることが好ましい。
【００１２】
本発明のスラグ弾は、本発明のスラグ弾頭保持部材を用いているため、発射後の飛翔が安定し、着弾したときの命中精度がより高められている。
【発明の効果】
【００１３】
本発明のスラグ弾は、特定形状のスラグ弾頭保持部材とスラグ弾を組み合わせたものを用いているため、発射後の飛翔が安定し、着弾したときの命中精度がより高められている。
【発明を実施するための最良の形態】
【００１４】
＜スラグ弾頭保持部材−１＞
図１（ａ）は、スラグ弾頭保持部材１０Ａの正面図、図２（ｂ）は、図２（ａ）の裏面図（底面１０ｂ側から見た平面図）である。
【００１５】
スラグ弾頭保持部材１０Ａは、高密度ポリエチレン製であり、円板部１１と、円板部１１の一面上に突き出して形成された弾頭保持部１５とを有している。円板部１１と弾頭保持部１５は一体に成形されており、それぞれの中心軸Ｘは一致している。
【００１６】
弾頭保持部１５は、スラグ弾頭の凹部（弾頭空洞部）に嵌め込まれるものであるため、その外形と大きさは、前記弾頭空洞部の形状と大きさに合わせて形成されている。図１（ａ）では、弾頭保持部１５は円柱部１６と円錐台部１７からなっているが、前記した弾頭空洞部の形状に応じて適宜変更することができる。
【００１７】
スラグ弾頭保持部材１０Ａは、円板部１１と弾頭保持部１５に跨って形成された凹部１４を有している。凹部１４は、底面１０ｂ側に開口しており、頂面１０ａ側には貫通されていない。
【００１８】
スラグ弾頭保持部材１０Ａは、円板部１１の厚みＬ1と弾頭保持部１５の円板部１１表面からの高さＬ2との比率（Ｌ1／Ｌ2）が０．４〜２．５の範囲であり、好ましくは０．５〜２．０の範囲、より好ましくは０．６〜１．５の範囲である。
【００１９】
＜スラグ弾頭保持部材−２＞
図２（ａ）は、スラグ弾頭保持部材１０Ｂの正面図、図２（ｂ）は、図２（ａ）の裏面図（底面１０ｂ側から見た平面図）である。
【００２０】
スラグ弾頭保持部材１０Ｂは、高密度ポリエチレン製であり、円板部１１と、円板部１１の一面上に突き出して形成された弾頭保持部１５とを有している。円板部１１と弾頭保持部１５は一体に成形されており、それぞれの中心軸Ｘは一致している。
【００２１】
円板部１１は、その周面が、上部周面部１２と、中心軸Ｘに向かって傾斜した環状傾斜面部１３に分けられている。上部周面部１２の外径は、銃身の内径とほぼ等しい寸法に設定されている。そして、底面１０ｂと環状傾斜面部１３とのなす角度αは４５〜８５°の範囲が好ましく、６０〜８３°の範囲がより好ましい。
【００２２】
弾頭保持部１５は、スラグ弾頭の凹部（弾頭空洞部）に嵌め込まれるものであるため、その外形と大きさは、前記弾頭空洞部の形状と大きさに合わせて形成されている。図１（ａ）では、弾頭保持部１５は円柱部１６と円錐台部１７からなっているが、前記した弾頭空洞部の形状に応じて適宜変更することができる。
【００２３】
スラグ弾頭保持部材１０Ｂは、円板部１１と弾頭保持部１５に跨って形成された凹部１４を有している。凹部１４は、底面１０ｂ側に開口しており、頂面１０ａ側には貫通されていない。
【００２４】
スラグ弾頭保持部材１０Ｂは、円板部１１の厚みＬ1と弾頭保持部１５の円板部１１表面からの高さＬ2との比率（Ｌ1／Ｌ2）が０．４〜２．５の範囲であり、好ましくは０．５〜２．０の範囲、より好ましくは０．６〜１．５の範囲である。
【００２５】
スラグ弾頭保持材１０ＢのＬ1長さは、図１に示すスラグ弾頭保持材１０ＡのＬ1長さよりも短くすることができ、１０ＡのＬ1長さの１５〜８５％の範囲にすることができる。
【００２６】
＜スラグ弾−１＞
図３、図４により、スラグ弾２０Ａの一実施形態を説明する。図３は、スラグ弾２０Ａの軸方向断面図、図４は、図３のスラグ弾２０Ａが発射された後の状態を示す軸方向断面図である。
【００２７】
筒状の薬莢２１の一端開口部はベースメタル２２で閉塞されている。そして、ベースメタル２２側の端部には雷管２４、ベースワッズ２３が配置され、更に所要量の火薬（発射薬）２５が充填されている。
【００２８】
火薬２５の先には、送り（低密度ポリエチレン製のカップワッズ）２６ａが配置され、その先には、スラグ弾頭２７の凹部（弾頭空洞部）２８内に、弾頭保持部１５が嵌め込まれた状態でスラグ弾頭保持部材１０Ｂが組み合わされたものが配置されている。スラグ弾頭保持部材１０Ｂとカップワッズ２６ａは、ともにスラグ弾頭２７よりも軽量の部材である。スラグ弾頭保持材１０Ｂの頂面１０ａとスラグ弾頭２７の間には、発射時の変形により、弾頭２７の頂部が極端に薄肉化しないようにするため、空間を設けることが好ましい。
【００２９】
薬莢２１の他端開口部周縁には、図示するように内側に折り込まれた折り込み部２１ａが形成されており、この折り込み部２１ａがスラグ弾頭２７に当接されることで、スラグ弾頭２７の軸方向の移動が防止されている。
【００３０】
次に、図３に示すスラグ弾２０Ａを散弾銃に装填し、発射したときの状態変化を説明する。
【００３１】
散弾銃で発射後、スラグ弾頭２７は、銃身内部の移動中において、火薬２５の燃焼ガス圧力により、弾頭保持部材１０Ｂに押されて、軸方向に圧縮変形されると共に、外径が拡大されるが、その後、外径は銃身内径と合致するように変形される。このとき、スラグ弾頭２７の弾頭空洞部２８も押し縮められるが、弾頭保持部材１０Ｂの弾頭保持部１５が弾頭空洞部２８に密着して、図４に示すような状態になる。このため、弾頭保持部材１０Ｂの圧縮強度は、スラグ弾頭２７及びカップワッズ２６ａの圧縮強度よりも高くなるように設定されている。またカップワッズ２６ａは、発射時の押圧によって、塑性変形するものである。
【００３２】
そして、銃身から飛び出した後は、図４に示すように、スラグ弾頭２７と弾頭保持部材１０Ｂが密着され、弾頭保持部材１０Ｂの凹部１４内にカップワッズ２６ａの中央部分はめり込んだ状態となり、全体として一体なった状態で飛翔する。このとき、Ｌ11とＬ12の合計長さ（特にＬ11の長さ）が、特許文献１の第６図と比べると長くなるため、飛翔が安定され、着弾したときの命中精度が高められる。
【００３３】
＜スラグ弾−２＞
図５、図６により、スラグ弾２０Ｂの一実施形態を説明する。図５は、スラグ弾２０Ｂの軸方向断面図、図６は、図５のスラグ弾２０Ｂが発射された後の状態を示す軸方向断面図である。
【００３４】
筒状の薬莢２１の一端開口部はベースメタル２２で閉塞されている。そして、ベースメタル２２側の端部には雷管２４，ベースワッズ２３が配置され、更に所要量の火薬（発射薬）２５が充填されている。
【００３５】
火薬２５の先には、送り（カップワッズ）２６ｂが配置され、その先には、円板状の送り（フェルト）２９が配置されている。フェルト２９の先には、スラグ弾頭２７の凹部（弾頭空洞部）２８内に、弾頭保持部１５が嵌め込まれた状態でスラグ弾頭保持部材１０Ｂが組み合わされたものが配置されている。スラグ弾頭保持部材１０Ｂとカップワッズ２６ａは、ともにスラグ弾頭２７よりも軽量の部材である。スラグ弾頭保持材１０Ｂの頂面１０ａとスラグ弾頭２７の間には、発射時の変形により、弾頭２７の頂部が極端に薄肉化しないようにするため、空間を設けることが好ましい。
【００３６】
薬莢２１の他端開口部周縁には、図示するように内側に折り込まれた折り込み部２１ａが形成されており、この折り込み部２１ａがスラグ弾頭２７に当接されることで、スラグ弾頭２７の軸方向の移動が防止されている。
【００３７】
次に、図５に示すスラグ弾２０Ｂを散弾銃に装填し、発射したときの状態変化を説明する。
【００３８】
散弾銃で発射後、スラグ弾頭２７は、銃身内部の移動中において、火薬２５の燃焼ガス圧力により、弾頭保持部材１０Ｂに押されて、軸方向に圧縮変形されると共に、外径が拡大されるが、その後、外径は銃身内径と合致するように変形される。このとき、スラグ弾頭２７の弾頭空洞部２８も押し縮められるが、弾頭保持部材１０Ｂの弾頭保持部１５が弾頭空洞部２８に密着して、図６に示すような状態になる。フェルト２９は、繊維質で変形し難いため、図３、４に示すカップワッズ２６ａのように、弾頭保持部材１０Ｂの凹部１４内にめり込んだ状態にはならない。
【００３９】
その後、銃身から飛び出した後は、図６に示すように、スラグ弾頭２７及び弾頭保持部材１０Ｂのみが一体になった状態で飛翔する。このとき、Ｌ21とＬ22の合計長さ（特にＬ21の長さ）が、特許文献１の第６図と比べると長くなるため、飛翔が安定され、着弾したときの命中精度が高められる。
【００４０】
なお、図４のＬ11とＬ12の合計長さと比べると、Ｌ21とＬ22の合計長さの方が短くなっているが、図４の状態と比べると、弾頭保持部材１０Ｂの環状傾斜面部１３が空気と接し易くなっているため、前記環状傾斜面部１３の作用により、図３のスラグ弾２０Ａと同等の命中精度が維持できる。
【実施例】
【００４１】
実施例１〜６、比較例１〜３
（スラグ弾頭保持部材）
高密度ポリエチレン（日本ポリエチレン社製，商品名：ノバテック  ＨＢ３３０ＮＰ）を用い、射出成形して、図１又は図２に示す形状で、表１に示す寸法のスラグ弾頭保持部材を製造した。表１中、円板部の最大径は、図１の保持部材は円板部１１の外径、図２の保持部材は上部周面部１２の外径を示す。
【００４２】
（スラグ弾）
表１に示すスラグ弾頭保持部材を用いて、図３又は図５に示す構造のスラグ弾を製造した。但し、図１の保持部材１０Ａを用いたスラグ弾（図５）は、保持部材１０Ｂが保持部材１０Ａとなる。スラグ弾頭保持部材以外は公知の部材を用いた。
【００４３】
（発射試験）
表１に示す各スラグ弾を用い、銃器は、射台固定式とし、ゲージ番号１２、銃身長３０インチ銃口絞り平筒を使用した。試験は、表１に示す初速にて、５０ｍ先の標的に向けてスラグ弾を５回ずつ発射し、標的上の５発の弾痕を全て含む最小円の直径を測定し、命中精度とした。前記直径が小さいほど、命中精度が高いことを示す。なお、標的に命中後の状態は、実施例１〜４、比較例１は図６に示すような状態であり、実施例５、６は、図４に示すような状態であった。結果を表１に示す。
【００４４】
【表１】
2010078294.tif 000003
【００４５】
実施例１〜６の命中精度は、いずれも１０ｃｍ未満であり、比較例１〜３と比べると、高くなっていた。
【００４６】
実施例１と実施例４の比較から、図２の環状傾斜面を有する保持部材の方が、図１の保持部材よりも命中精度が良かった。
【００４７】
実施例４におけるＬ22＋Ｌ21の長さと、実施例５、６におけるＬ12＋Ｌ11の長さの対比から、Ｌ22＋Ｌ21又はＬ12＋Ｌ11に相当する部分の長さが大きい方が、命中精度が良かった。
【図面の簡単な説明】
【００４８】
【図１】（ａ）は、本発明のスラグ弾頭保持部材の正面図、（ｂ）は（ａ）の裏面図。
【図２】（ａ）は、本発明の別実施形態であるスラグ弾頭保持部材の正面図、（ｂ）は（ａ）の裏面図。
【図３】本発明のスラグ弾頭保持部材を用いたスラグ弾の軸方向断面図。
【図４】図３のスラグ弾が発射された後の状態を示す図。
【図５】本発明のスラグ弾頭保持部材を用いた別実施形態であるスラグ弾の軸方向断面図。
【図６】図５のスラグ弾が発射された後の状態を示す図。
【符号の説明】
【００４９】
１０Ａ，１０Ｂ  スラグ弾頭保持部材
１１  円板部
１２  上部周面部
１３  環状傾斜面部
１４  凹部
１５  弾頭保持部
２０Ａ、２０Ｂ  スラグ弾
２７  スラグ弾頭
【図１】
2010078294.tif 000004
【図２】
2010078294.tif 000005
【図３】
2010078294.tif 000006
【図４】
2010078294.tif 000007
【図５】
2010078294.tif 000008
【図６】
2010078294.tif 000009